(57)【要約】【課題】  マニキュア（ネイルカラー）塗布後、表面を傷つけたり、埃や異物が付着するのを防ぎ、無傷の光沢ある美しい皮膜を作ることができる保護カバーを提供する。  【解決手段】  プラスチック樹脂成形によるマニキュアを保護する保護カバー１であって、それぞれ一対の半球面部および半円筒部によって形成した指腹側鞘２、爪側鞘３それぞれと、指腹側鞘２、爪側鞘３それぞれを弾性的に連結する蝶番部４と、蝶番部４を介して互いに合致した指腹側鞘２、爪側鞘３それぞれを係合する連結部５とを備える。指腹側鞘２を形成する半円筒部に指腹露出開口部８を有し、指腹側鞘２に押圧操作用の突起部９を設ける。【選択図】      図１
2005305019.tif 000002
【特許請求の範囲】
【請求項１】
プラスチック樹脂成形によるマニキュアを保護する保護カバーであって、
それぞれ一対の半球面部および半円筒部によって形成された指腹側鞘、爪側鞘それぞれと、
前記指腹側鞘、爪側鞘それぞれを弾性的に連結する蝶番部と、
蝶番部を介して互いに合致させた指腹側鞘、爪側鞘それぞれを係合させる連結部と、
を備えたことを特徴とした保護カバー。
【請求項２】
指腹側鞘を形成する半円筒部に指腹露出開口部を有する請求項１記載の保護カバー。
【請求項３】
指腹側鞘に押圧操作用の突起部を設けた請求項１または２記載の保護カバー。
【請求項４】
前記連結部は、内容積を調節して結合可能とする複数段のラチェット爪部を、指腹側鞘、爪側鞘のいずれかに有して成る請求項１乃至３のいずれか記載の保護カバー。
【請求項５】
爪側鞘の半円筒部は、指基の方が小径で、爪が内径に当たらないように爪側を大径にした２段に形成されている請求項１乃至４のいずれか記載の保護カバー。
【請求項６】
爪側鞘の半円筒部は、段差箇所に通気孔を設けた請求項５記載の保護カバー。
【発明の詳細な説明】
【技術分野】
【０００１】
本発明は、乾燥前のマニキュア（ネイルラッカー）を保護するための保護カバーに関する。
【背景技術】
【０００２】
マニキュア爪に塗布することにより、爪を保護し、つややかな色彩によって、美しく装う処置が普及している。マニキュアを爪に塗布してからこれを自然に乾燥させるのには数分を必要とするから熱風もしくは冷風を爪に吹き付けることによって積極的に乾燥させるための器具が提案されている。
【発明の開示】
【発明が解決しようとする課題】
【０００３】
マニキュア塗布後の爪を剥き出しで放置しておくと、埃や異物が付着して汚れてしまう可能性があり、行動を制限しないとその可能性が一層高まる。熱風もしくは冷風を爪に吹き付けるためには、高価な送風装置が必要となり、しかも非常に面倒な乾燥作業となる等の問題点を有していた。
【０００４】
そこで本発明の目的は、マニキュア塗布後の爪を放置している間に埃や異物が付着して汚れてしまうのを防止でき、また、熱風もしくは冷風を爪に吹き付けるための高価な送風装置が不要となり、手指の行動を極端に制限することなく乾燥前のマニキュアを容易に保護することができる保護カバーを提供することにある。
【課題を解決するための手段】
【０００５】
前記目的を達成するため本発明によに保護カバーは、
プラスチック樹脂成形によるマニキュアを保護する保護カバー１であって、
それぞれ一対の半球面部および半円筒部によって形成された指腹側鞘２、爪側鞘３それぞれと、
前記指腹側鞘２、爪側鞘３それぞれを弾性的に連結する蝶番部４と、
蝶番部４を介して互いに合致させた指腹側鞘２、爪側鞘３それぞれを係合させる連結部５とを備えたものである。
また、指腹側鞘２を形成する半円筒部に指腹露出開口部８を有するものとすることができる。
さらに、指腹側鞘２に押圧操作用の突起部９を設けたものとすることができる。
このとき前記連結部５は、内容積を調節して結合可能とする複数段のラチェット爪部６を、指腹側鞘２、爪側鞘３のいずれかに有して成るものとすることができる。
そして、爪側鞘３の半円筒部は、指基の方が小径で、爪が内径に当たらないように爪側を大径にした２段に形成されているものとできる。
このとき爪側鞘３の半円筒部は、段差箇所に通気孔１０を設けたものとできる。
【発明の効果】
【０００６】
本発明によれば、マニキュア塗布後の爪を放置している間に埃や異物が付着して汚れてしまうのを防止でき、また、熱風もしくは冷風を爪に吹き付けるための高価な送風装置が不要となり、乾燥前のマニキュアを容易に保護することができる。
【発明を実施するための最良の形態】
【０００７】
以下に本発明の最良の形態について図面を参照して説明する。図に示される符号１は、透明または半透明の例えばポリプロピレン樹脂等のプラスチック樹脂材料の成形によって形成された、乾燥前のマニキュアを保護するための保護カバーである。市場においては指の本数にあわせてこれの複数をセットで販売提供を予定している。
【０００８】
保護カバー１は、図１に示すように、それぞれ一対の半球面部および半円筒部によって形成された指腹側鞘２、爪側鞘３それぞれによって構成されている。そして、指腹側鞘２、爪側鞘３それぞれを弾性的に連結するために、例えば一対の半球面部それぞれの頂部側には、蝶番部４が一体となって形成されている。また、この蝶番部４を介して指腹側鞘２、爪側鞘３それぞれの開口縁側同士を互いに合致させたときに、当該開口縁側同士を係合させるために、例えば一対の半円筒部それぞれの後部側の左右対称位置に一対の連結部５を備えている。
【０００９】
この連結部５としては、図４に示すように、指腹側鞘２、爪側鞘３それぞれの開口縁側同士を互いに合致させたときに、指腹側鞘２、爪側鞘３それぞれによって形成される内容積を適宜調節して結合可能とするよう複数段、例えば３段のラチェット爪部６を、例えば爪側鞘３の後部側の左右対称位置に対向形成してある。このとき、指腹側鞘２側の後部側の左右対称位置には、ラチェット爪部６を係架するための係止部７が形成されている。尚、このラチェット爪部６を指腹側鞘２側に設けてあっても良い。
【００１０】
また、図３に示すように、指腹側鞘２を形成する半円筒部の例えば略中央側には、指腹を露出させるための指腹露出開口部８を穿設してある。これによって保護カバー１装着時に、指腹露出開口部８から指腹の膨らみが露出されるため、物を掴むのが容易となる。
【００１１】
さらに、指腹側鞘２の蝶番部４寄り位置には、押圧操作用の突起部９を設け、さらに必要に応じて突起部９を縁付きにして中央に粘性パッドを入れてある。これによって、保護カバー１装着時において、例えば携帯電話の操作ボタンの押圧操作が容易となる。
図５はそのような使用状態を示す斜視図である。
【００１２】
図２、図４に示すように、爪側鞘３の半円筒部は、指基の方が小径で、爪が内径に当たらないように爪側を大径にした２段に形成されている。また、爪側鞘３の２段に形成されている半円筒部の段差箇所には、通気孔１０を設けてあり、これによってマニキュアのエナメル質の乾燥を早めるようにしてある。
【００１３】
次に、本発明に係る構成の使用方法について説明する。図１に示すように、保護カバー１の蝶番部４を介して指腹側鞘２、爪側鞘３それぞれを開放させておき、指腹側鞘２上に指を載せ、指腹側鞘２、爪側鞘３それぞれの開口縁側同士を、蝶番部４を介して互いに閉塞合致させ、連結部５によって開口縁側同士を係合連結する。
【００１４】
このとき、連結部５における例えば３段の内、１つのラチェット爪部６を選び、指腹側鞘２側の係止部７に、このラチェット爪部６を係架することで、指腹側鞘２、爪側鞘３それぞれによって形成される内容積を適宜調節して結合される。
【００１５】
また、保護カバー１装着時において、指腹露出開口部８から指腹の膨らみが露出され、これにより物を掴むのが容易となる。食器や器具の利用が可能となる。
手を狭い空間に挿入したり、ハンドバック等の中に躊躇することなる手を挿入することができる。突起部９の存在により、例えば携帯電話の操作ボタンの押圧操作や、電子機器のボタン操作も容易になる。
【図面の簡単な説明】
【００１６】
【図１】本発明の最良な形態における保護カバーの開放状態を示す斜視図である。
【図２】同じく保護カバーの使用状態の側面図である。
【図３】同じく保護カバーの使用状態の底面図である
【図４】同じく保護カバーの使用状態を背面側から見た斜視図である。
【図５】保護カバーを使用してボタン等の操作を使用とする状態を説明するための斜視図である。
【符号の説明】
【００１７】
１  保護カバー
２  指腹側鞘
３  爪側鞘
４  蝶番部
５  連結部
６  ラチェット爪部
７  係止部
８  指腹露出開口部
９  突起部
１０  通気孔
【図１】
2005305019.tif 000003
【図２】
2005305019.tif 000004
【図３】
2005305019.tif 000005
【図４】
2005305019.tif 000006
【図５】
2005305019.tif 000007